(57)【特許請求の範囲】
【請求項１】
表示装置の背面に固定される固定部材と、
伸縮可能で長尺状をなし、両端部にスピーカが取り付けられる腕部材と、
前記固定部材から前記背面に交差し、水平方向に突出する載置部と、
前記腕部材から突出し、前記背面及び前記腕部材に間隔を設けて、前記載置部に載置してなる被載置部と
を備えることを特徴とする取付部材。
【請求項２】
前記腕部材の両端部は、前記表示装置の背面から前面の方向に湾曲していること
を特徴とする請求項１に記載の取付部材。
【請求項３】
前記腕部材は、断面横Ｕ字状又は断面矩形状をなす２つの腕部、及び
長手方向の中間に位置し、前記２つの腕部それぞれの一端部を収容する断面横Ｕ字状又は断面矩形状をなす２つの収容部を有し、
該２つの収容部は同軸上には配置されてないこと
を特徴とする請求項１又は請求項２に記載の取付部材。
【請求項４】
断面横Ｕ字状又は断面矩形状をなし、一端部にスピーカが取付けられ、他端部が腕部に収容される２つの取付部を備えること
を特徴とする請求項３に記載の取付部材。
【請求項５】
映像を表示する表示装置と、
請求項１から請求項４のいずれか一項に記載の取付部材により、前記表示装置に取付けられたスピーカと、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、表示装置にスピーカを取り付けるための取付部材等に関する。
【背景技術】
【０００２】
近年、表示装置の大画面化、狭額縁化、薄型化が進められている。そのために音声スピーカのユニットやスピーカボックスを収容するための十分なスペースが、表示装置内部で確保できなくなっている。
【０００３】
このような状況に対して、表示装置と組み合わせて使用する外付けスピーカが提案されている。しかしながら、表示装置を設置する設置台の横幅は、設置スペースの問題やデザイン上の要求から、表示装置の横幅と同等又はそれ以下の場合が多くなっている。そのため、外付けスピーカを設置するスペースを確保するのが困難となっている。
【０００４】
さらにまた、表示装置の脚形状・位置も各社・各モデルで様々であり、表示装置の脚元へのスピーカの設置を阻害する一因となっている。
【０００５】
以上のような背景から、表示装置の背面にスピーカを取り付ける取付部材が提案されている（特許文献１）。取付部材は、複数の取付板と、連結部材と、可動部材を含む。取付板は上下方向に長い短冊状をなしている。連結部材は左右方向に長く、取付板の長手方向の所定位置で取り付け板と交差するように連結される。可動部材は、左右方向に移動可能なように連結部材に連結され、スピーカが取り付けられる。取付部材を構成する取付板、連結部材、及び可動部材は、表示装置の背面に接触するように取付けられている。
【先行技術文献】
【特許文献】
【０００６】
【特許文献１】特許第４７８４６７２号公報
【発明の概要】
【発明が解決しようとする課題】
【０００７】
しかしながら、特許文献１に示すような取付部材は、表示装置の背面に隙間を設けることなく、取り付けるようになっている。一方、表示装置の背面には、映像や音声の入出力端子や、表示装置内部の熱を放散させるための通風孔が設けられている。そのため、表示装置を取付部材の適用可能とするためには、入出力端子や通風孔の位置に制約が生じていた。逆に、入出力端子や通風孔が取付部材と干渉してしまう表示装置には、取付部材の取付けは出来なかった。
【０００８】
本発明は、このような事情に鑑みてなされたものであり、表示装置背面に設けられた入出力端子や通風孔の位置に関わらず取付可能な取付部材を提供することを目的とする。
【課題を解決するための手段】
【０００９】
本発明に係る取付部材は、表示装置の背面に固定される固定部材と、伸縮可能で長尺状をなし、両端部にスピーカが取り付けられる腕部材と、前記固定部材から前記背面に交差し、水平方向に突出する載置部と、前記腕部材から突出し、前記背面及び前記腕部材に間隔を設けて、前記載置部に載置してなる被載置部とを備えることを特徴とする。
【００１０】
本発明に係る取付部材は、前記腕部材の両端部は、前記表示装置の背面から前面の方向に湾曲していることを特徴とする。
【００１１】
本発明に係る取付部材は、前記腕部材は、断面横Ｕ字状又は断面矩形状をなす２つの腕部、及び長手方向の中間に位置し、前記２つの腕部それぞれの一端部を収容する断面横Ｕ字状又は断面矩形状をなす２つの収容部を有し、該２つの収容部は同軸上には配置されてないことを特徴とする。
【００１２】
本発明に係る取付部材は、断面横Ｕ字状又は断面矩形状をなし、一端部にスピーカが取付けられ、他端部が腕部に収容される２つの取付部を備えることを特徴とする。
【００１３】
本発明に係るテレビジョン受信機は、映像を表示する表示装置と、上述の取付部材により、前記表示装置に取付けられたスピーカと、テレビジョン放送を受信する受信部とを備え、前記受信部にて受信したテレビジョン放送に基づいて、前記表示装置に映像を表示するようにしてあることを特徴とする。
【発明の効果】
【００１４】
本発明にあっては、背面に凹凸がある表示装置においても、利用可能となる。
【図面の簡単な説明】
【００１５】
【図１】スピーカが取付けられた表示装置の正面斜視図である。
【図２】スピーカが取付けられた表示装置の背面斜視図である。
【図３】取付部材の構成例を示す背面斜視図である。
【図４】固定部材の部分拡大斜視図である。
【図５】アームの部分拡大斜視図である。
【図６】アーム及び固定部材の部分拡大斜視図である。
【図７】スピーカが取付けられた表示装置の平面図である。
【図８】取付部材の他の構成例を示す背面図である。
【図９】本体部の他の構成例を示す背面図である。
【図１０】取付部の他の構成例を示す背面図である。
【図１１】取付部材の他の構成例を示す背面図である。
【図１２】取付部材の他の構成例を示す背面図である。
【図１３】取付部材の他の構成例を示す斜視図である。
【発明を実施するための形態】
【００１６】
実施形態１
以下、実施形態を、図面を用いて具体的に説明する。以下の説明では、図において矢符で示す上下、前後、及び左右を使用する。なお、前面を正面、後面を背面と記載する場合もある。図１はスピーカ２、２が取付けられた表示装置３の正面斜視図である。表示装置３はテレビジョン受信機として構成されている。表示装置３は、表示パネル３１、表示パネル３１の周縁及び側面を覆うフロントキャビネット３２、受信部３４を含む。受信部３４はテレビジョン放送を受信する。表示パネル３１はテレビ放送に基づいた映像を表示する。表示装置３の左右にはスピーカ２、２が取付けられている。表示装置３にはスタンド４が固定されている。スタンド４は、表示装置３を載置台（例えばいわゆるテレビ台）に載置するための脚部として機能し、表示装置３を縦姿勢で支持する。
【００１７】
図２はスピーカ２、２が取付けられた表示装置３の背面斜視図である。スピーカ２、２を取り付けるための取付部材１は、アーム（腕部材）１１と固定部材１２とを含む。スピーカ２、２は左右に長いアーム１１に取付けられている。表示装置３の背面３３には固定部材１２が固定されている。アーム１１と固定部材１２とが係合することにより、スピーカ２、２が表示装置３に対して備え付けられる。
【００１８】
図３は取付部材１の構成例を示す背面斜視図である。アーム１１は２つの本体部１１１、２つの連結部１１４を有する。各本体部１１１に対して、２つの腕部１１２、２つの取付部１１３を含む。各連結部１１４につき２つの被載置部１１５を含む。固定部材１２は２つの基部１２１を有する。各基部１２１に対して、２つの載置部１２２を含む。取付部１１３の一端は腕部１１２に固定される。取付部１１３の他端にはスピーカ２が固定される。取付部１１３は前方向へ湾曲しており、一端よりも他端が前方に位置する。アーム１１の被載置部１１５は、固定部材１２の載置部１２２に載置される。
【００１９】
図４は固定部材１２の部分拡大斜視図である。基部１２１は断面Ｕ字状をなす棒状の部材である。基部１２１は上下方向が長手方向、後側が開口となるように表示装置３の背面に固定される。基部１２１の底面には、複数の長孔１２１１、矩形孔１２１２が貫通形成してある。長孔１２１１上下方向に長くしてある。矩形孔１２１２は左右方向に長くしてある。基部１２１の右側面には複数の丸孔１２１３が設けてある。右側面にも丸孔１２１３に対応する位置に、丸孔が設けられている。載置部１２２は断面Ｕ字状をなす棒状の部材である。載置部１２２が基部１２１に固定された場合には下側が開口となる。載置部１２２の上面には、鋸歯状の係合部１２２１が設けられている。載置部１２２上面の前端には鈎部１２２ａが設けられている。載置部１２２の右側面部１２２２にはねじ孔１２２ｂ、左側面部１２２３にはねじ孔１２２ｃが貫通形成されている。
【００２０】
基部１２１への載置部１２２の取付けについて説明する。基部１２１より適切な矩形孔１２１２を選択する。この選択は、表示装置３の大きさや、表示装置の上下方向のどの位置にスピーカ２を取り付けるかにより行う。載置部１２２の鈎部１２２ａを矩形孔１２１２に引っ掛ける。これにより、載置部１２２は基部１２１に仮固定される。基部１２１に設けられたねじ孔１２２ｂにねじを螺合させる。丸孔１２１３は矩形孔１２１２に対応して設けてある。
【００２１】
基部１２１は長孔１２１１に通したねじを、表示装置３の背面に設けたねじ孔に螺号させることにより、表示装置３に固定される。このとき、複数設けられた長孔１２１１から表示装置の大きさに合わせたものを適宜選択する。
【００２２】
図５はアーム１１の部分拡大斜視図である。アーム１１の本体部１１１は断面横Ｕ字状をなす。本体部１１１は前側が開口している。本体部１１１の前面には、不連続に規制部１１１１が設けられている。規制部１１１１は、上面から下側に延びる板状部と、下面から上側に延びる板状部とからなる。図３に示したように、本体部１１１の内部には、腕部１１２が差し込まれる。規制部１１１１は腕部１１２が本体部１１１から前方に脱落することを防ぐ。本体部１１１は断面矩形状としてもよい。その場合は、改めて規制部１１１１を設ける必要はない。本体部１１１の両端部近傍の下面には、ねじ孔１１１ａが長手方向に距離を置いて複数設けられている。このねじ孔１１１ａには下から上に向かってねじが通される。ねじの先端は本体部１１１の内部に突出するように固定される。本体部１１１の内側に差し込まれる腕部１１２は突出したねじの先端により、本体部１１１の内部で上側に押し付けられ、固定される。アーム１１の長さは、本体部１１１に収容する腕部１１２の長さを変えることにより、調整可能である。対象とする表示装置３の横幅に合わせて、アーム１１の長さを調整する。
【００２３】
図３、図５を合わせて参照すると明らかなように、本体部１１１の長手方向の中間より各端部側には、それぞれ上面から前方にせり出す庇部１１１２が設けられている。庇部１１１２には丸孔１１１ｂが、長手方向に距離を置いて複数貫通形成してある。本体部１１１には、長手方向、庇部１１１２と同様な位置に、下面から下側に延出する当接部１１１３が設けてある。当接部１１１３には丸孔１１１ｃが長手方向に沿い距離を置いて複数貫通形成してある。
【００２４】
連結部１１４は断面Ｕ状をなす。図５において、連結部１１ｂは、Ｕ字の開口部分が前側としてある。連結部１１４の長手方向の両端部には、後面から前側に折り曲げられた板状部１１４１が設けてある。板状部１１４１には、ねじ孔１１４ａが貫通形成してある。連結部１１４の後面にはねじ孔１１４ｂが複数貫通形成してある。図３に示したように、連結部１１４は長手方向の両端部が本体部１１１に固定される。庇部１１１２の丸孔１１１ｂにねじを通し、当該ねじがねじ孔１１４ａに螺合することにより、当接部１１１３の丸孔１１１ｃにねじを通し、当該ねじがねじ孔１１４ｂと螺合することにより、連結部１１４は本体部１１１に固定される。
【００２５】
被載置部１１５は断面逆Ｕ字状をなす。すなわち、図５において、被載置部１１５は、Ｕ字の開口部分が下側としてある。被載置部１１５の上側板状部の下面には、鋸歯状の被係合部１１５１が設けてある。被載置部１１５は連結部１１４又は本体部１１１に固定される。例えば、被載置部１１５を連結部１１４に固定する場合は、次のようにする。被載置部１１５の後面にねじ孔を設けておき、連結部１１４の後面に設けたねじ孔１１４ｂにねじを通し、当該ねじをねじ孔に螺合する。なお、被載置部１１５は連結部１１４と一体としてもよい。
【００２６】
図６は、アーム１１及び固定部材１２の部分拡大斜視図である。アーム１１は、被載置部１１５が固定部材１２の載置部１２２に載置されることにより、固定部材１２に備え付けられる。被載置部１１５に設けられた鋸歯状の被係合部１１５１が、載置部１２２に設けられた鋸歯状の係合部１２２１に係合する。被係合部１１５１及び係合部１２２１は、鋸歯状としてあるので、平面とした場合に比較して、互いの接触面積が大きくなり、摩擦力も大きくなる。また、被係合部１１５１及び係合部１２２１は、金属よりも柔らかい樹脂で形成してあるので、スピーカ２を含めたアーム１１の重量が被係合部１１５１に下向きに掛かることにより、係合部１２２１と密着するように係合するので、互いに生じる摩擦力を大きくすることが可能となる。以上のことから、アーム１１はねじ等を用いなくても比較的強固に固定部材１２に備え付けられる。また、ユーザがアーム１１又はスピーカ２を持ったとき、被係合部１１５１と係合部１２２１との係合が解除されるので、アーム１１に表示装置３の重量が掛かることはない。そのため、アーム１１を固定部材１２にねじ止めする場合と比較して、アーム１１の強度を低くすることが可能である。
【００２７】
取付部材１は表示装置３の後側に設けてあるので、図１に示すように、表示装置３を正面から見た場合でも、表示装置３とスピーカ２との隙間から、アーム１１の一部が見えるだけである。アーム１１は固定部材１２に載置されており、ねじによる固定はしていないため、スピーカ２を前後に押すことにより、表示装置３に対するスピーカ２の前後方向の位置調整を容易に行うことが可能である。
【００２８】
図７はスピーカ２が取付けられた表示装置３の平面図である。図７は表示装置３を上から見た状態を示している。図７では、アーム１１が最も前よりに載置されている状態を示している。この場合において、取付部材１は、アーム１１と表示装置３の背面との間に、間隔が設けられるように構成してある。表示装置３の背面に映像や音声の入出力のため端子があった場合においても、間隔が設けてあることにより、これらとアーム１１が干渉することなく、スピーカ２を取り付けることが可能となる。また、取付部材１により、通風孔が塞がれてしまうことを回避可能である。また、重低音の出力を可能とするために、サブウーハーを表示装置３に内蔵させたことにより、表示装置３の背面に凸部があった場合においても、スピーカ２の取り付けが可能である。なお、表示装置３の多くは、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格に従った壁掛け用金具（ＶＥＳＡ金具）を取り付ける箇所が設けられている。当該取付箇所は一定面積以上の平面が確保されている。取付部材１の固定部材１２は、当該金具を取付ける箇所に取付け可能に構成してあるので、多くの表示装置３に対応可能である。
【００２９】
表示装置３において、サブウーハーによる突出量は、ＶＥＳＡ金具の取付箇所平面から５０〜５５ｍｍ程度である。また、端子にケーブルが挿された場合に、前後方向に必要とする距離は、取付箇所平面から８０ｍｍ程度ある。そのようなことから、アーム１１と表示装置３のＶＥＳＡ金具の取付箇所平面との間の距離ｄは、１００ｍｍ以上とすることが望ましい。
【００３０】
実施形態１の取付部材１は以下の様な効果を奏する。表示装置３とアーム１１とに間隔が設けられるように構成してあるので、表示装置３の背面に設けられた入出力端子にケーブルを挿した場合においても、その箇所にアーム１１を横切る様に配置して、スピーカ２を取り付けることが可能である。また、通風孔の位置に関わらず、アーム１１を配置して、スピーカ２を取り付けることが可能となる。さらに、表示装置３がサブウーハーを備えたことにより背面に凸部がある場合でも、凸部を横切る位置にアーム１１を配置して、スピーカ２の取り付けが可能である。
【００３１】
実施形態２
実施形態２は、取付部材１を、より多くの表示装置３に対応させるための構成に関する。実施形態２の基本的な構成は、実施形態１と同様であるので、以下の説明においては、実施形態１との相違点について主に説明する。
【００３２】
図８は取付部材１の他の構成例を示す背面図である。図８Ａはアーム１１を最も短くした場合を示している。図８Ｂはアーム１１を最も長くした場合を示している。実施形態２では、本体部１１１の上下方向の寸法が大きくしてある。腕部１１２は本体部１１１に収納される場合、上下方向に別れて収納される。
【００３３】
図９は本体部１１１の他の構成例を示す背面図である。図９に示す本体部１１１の内部には上下方向の中央付近に左右にわたる仕切り板部１１１５が設けられている。仕切り板部１１１５により、本体部１１１の内部は、上部収容部（収容部）１１１ｄと下部収容部（収容部）１１１ｅに仕切られている。右側に位置する腕部１１２は上部収容部１１１ｄに収容され、左側に位置する腕部１１２は下部収容部１１１ｅに収容される。これにより、２つの腕部１１２は互いに干渉することなく、本体部１１１に収容することが可能となる。なお、左側に位置する腕部１１２を上部収容部１１１ｄに収容し、右側に位置する腕部１１２を下部収容部１１１ｅに収容してもよい。
【００３４】
図１０は取付部１１３の他の構成例を示す背面図である。取付部１１３の長手方向の一端にはスピーカ２が取付けられる取付板１１３１が設けられている。取付部１１３の長手方向の他端には、腕部１１２に固定される腕固定部１１３２、１１３３が設けてある。取付部１１３が腕部１１２に固定される際には、腕固定部１１３２又は腕固定部１１３３の一方が使用される。前述したように、２つの腕部１１２、１１２は、上下に並んで本体部１１１に収容される。したがって、左右の腕部１１２の上下方向の位置は異なることになり、左右のスピーカ２の上下位置が異なってしまう。それを解消するために、腕固定部１１３２又は腕固定部１１３３の一方が使用される。図８では、右側の取付部１１３は上側の腕固定部１１３２により、腕部１１２に固定されている。左側の取付部１１３は下側の腕固定部１１３３により、腕部１１２に固定されている。これにより、左右のスピーカ２、２は上下方向の位置が同一となっている。
【００３５】
実施形態２の取付部材１は、以下の効果を奏する。２つの腕部１１２、１１２を本体部１１１の上下に分けて収容するので、２つの腕部１１２、１１２は互いに干渉することなく、収容可能となる。アーム１１を、腕部１１２の大部分を本体部１１１の収容した状態の長さまで縮めることが可能となるので、本体部１１１の長さより、やや広い横幅を持つ表示装置３に、取付部材１は使用可能となる。
【００３６】
実施形態３
取付部材１を、大型の表示装置３に対応させるための構成に関する。実施形態３の基本的な構成は、実施形態１と同様であるので、以下の説明においては、実施形態１との相違点について主に説明する。
【００３７】
図１１は取付部材１の他の構成例を示す背面図である。図１１に示す取付部材１は、本体部１１１を左右２つに分割し、ジョイント１１６で接続する構成としてある。２つの本体部１１１をジョイント１１６により結合することにより、アーム１１の長さを更に長くすることが可能となり、取付部材１はより大型の表示装置３に対応可能となる。
【００３８】
実施形態４
実施形態４はアーム１１の長さ調整に更に自由度を加えた構成である。実施形態４の基本的な構成は、実施形態１と同様であるので、以下の説明においては、実施形態１との相違点について主に説明する。
【００３９】
図１２は取付部材１の他の構成例を示す背面図である。腕部１１２の後面には二組の丸孔１１２ａ、１１２ｂが長手方向に間隔を置いて設けてある。丸孔１１２ａ、１１２ｂは、それぞれ２つずつ設けてある。一方、取付部１１３には、図示しないねじ孔が設けてある。丸孔１１２ａ又は丸孔１１２ｂの一方にねじを通し、取付部１１３のねじ孔にねじを螺合することにより、腕部１１２を取付部１１３に取り付けることが可能である。丸孔１１２ａ又は丸孔１１２ｂのいずれかを選ぶことにより、取付部１１３が腕部１１２に収容される長さを変えることが可能となるので、アーム１１の長さを調整することが可能となる。
【００４０】
実施形態４においては、取付部１１３の腕部１１２での固定位置を変えることによっても、アーム１１の長さの調整が可能となり、調整の自由度が増した構成となる。
【００４１】
実施形態５
実施形態５は、腕部材１１が有する本体部１１１が２つではなく１つの場合の形態に関する。実施形態５の基本的な構成は、実施形態１と同様であるので、以下の説明においては、実施形態１との相違点について主に説明する。
【００４２】
図１３は取付部材１の他の構成例を示す斜視図である。腕部材１１は、１つの本体部１１１、２つの腕部１１２、２つの取付部１１３、２つの連結部１１４を含む。各連結部１１４は２つの被載置部１１５を含む。固定部材１２の構成は実施形態１と同様である。本体部１１１と腕部１１２との関係、腕部１１２と取付部１１３との関係は、実施形態１と同様である。実施形態５では連結部１１４と被載置部１１５が一体となっている点が、実施形態１と異なる。しかしながら、連結部１１４全体としての構成は、実施形態１と同様である。
【００４３】
実施形態５においても実施形態１と同様に、アーム１１が有する４つの被載置部１１５が、固定部材１２が有する４つの載置部１２２のそれぞれに載置されることにより、アーム１１は固定部材１２に備え付けられる。
【００４４】
実施形態５は次の効果を奏する。実施形態４は、本体部１１１を１つ、腕部１１２を２つ、取付部１１３を２つの構成としたので、アーム１１全体の重量を軽くすることが可能となる。それより、スピーカ取り付け時の取り回しが容易となる。
【００４５】
本発明に係る取付部材１は、表示装置３の背面に固定される固定部材１２と、伸縮可能で長尺状をなし、両端部にスピーカ２が取り付けられる腕部材１１と、前記固定部材１２から前記背面に交差する方向に突出する載置部１２２と、前記腕部材１１から突出し、前記背面及び前記腕部材に間隔を設けて、前記載置部１２２に載置してなる被載置部１１５とを備えることを特徴とする。
【００４６】
本発明にあっては、表示装置３の背面及び腕部材１１に間隔を設けるようにした。それにより、表示装置３の背面に設けられた入出力端子にケーブルを挿した場合においても、その箇所にアーム１１を横切る様に配置して、スピーカ２、２を取り付けることが可能である。また、通風孔の位置に関わらず、腕部材１１を配置して、スピーカ２を取り付けることが可能となる。さらに、表示装置３がサブウーハーを備えたことにより背面に凸部がある場合でも、凸部を横切る位置に腕部材１１を配置して、スピーカ２の取り付けが可能である。
【００４７】
本発明に係る取付部材１は、前記腕部材１１の両端部１１３は、前記表示装置３の背面から前面の方向に湾曲していることを特徴とする。
【００４８】
本発明にあっては、腕部材１１の両端部１１３を前面方向に湾曲してあるので、両端部１１３に取付けられたスピーカ２を表示装置３の表面と面一になるように取り付けることが可能となる。
【００４９】
本発明に係る取付部材１は、前記腕部材１１は、断面横Ｕ字状又は断面矩形状をなす２つの腕部１１２及び長手方向の中間に位置し、前記２つの腕部１１２それぞれの一端部を収容する断面横Ｕ字状又は断面矩形状をなす２つの収容部１１１ｄ、１１１ｅを有し、該２つの収容部１１１ｄ、１１１ｅは同軸上には配置されてないことを特徴とする。
【００５０】
本発明にあっては、２つの腕部１１２それぞれ収容する２つの収容部１１１ｄ、１１１ｅを同軸上とならないように配置したので、同軸上に配置した場合と比較して、腕部材１１の長さを短くすることが可能となる。
【００５１】
本発明に係る取付部材１は、断面横Ｕ字状又は断面矩形状をなし、一端部にスピーカ２が取付けられ、他端部が腕部１１２に収容される２つの取付部１１３を備えることを特徴とする。
【００５２】
本発明にあっては、腕部１１２に収容される取付部１１３を備えるので、腕部１１２、１１２に収容される取付部１１３の長さを調整することによっても、腕部材１１の長さの調整が可能となる。
【００５３】
本発明に係るテレビジョン受信機は、映像を表示する表示装置３と、上述の取付部材１により、前記表示装置３に取付けられたスピーカ２、２と、テレビジョン放送を受信する受信部３４とを備え、前記受信部３４にて受信したテレビジョン放送に基づいて、前記表示装置３に映像を表示するようにしてあることを特徴とする。
【００５４】
本発明にあっては、テレビジョン受信機の背面及び腕部材１１に間隔を設けるようにした。表示装置３の背面に設けられた入出力端子にケーブルを挿した場合においても、その箇所にアーム１１を横切る様に配置して、スピーカ２を取り付けることが可能である。また、通風孔の位置に関わらず、腕部材１１を配置して、スピーカ２を取り付けることが可能となる。さらに、表示装置３がサブウーハーを備えたことにより背面に凸部がある場合でも、凸部を横切る位置に腕部材１１を配置して、スピーカ２の取り付けが可能である。
【００５５】
各実施例で記載されている技術的特徴（構成要件）はお互いに組合せ可能であり、組み合わせすることにより、新しい技術的特徴を形成することができる。
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００５６】
１        取付部材
１１      アーム（腕部材）
１１ｂ    連結部
１１１    本体部
１１１１  規制部
１１１２  庇部
１１１３  当接部
１１１５  仕切り板部
１１１ａ  ねじ孔
１１１ｂ  丸孔
１１１ｃ  丸孔
１１１ｄ  上部収容部（収容部）
１１１ｅ  下部収容部（収容部）
１１２    腕部
１１３    取付部（両端部）
１１３１  取付板
１１３２  腕固定部
１１３３  腕固定部
１１４    連結部
１１４１  板状部
１１５    被載置部
１１５１  被係合部
１１６    ジョイント
１２      固定部材
１２１    基部
１２２    載置部
１２２１  係合部
１２２２  右側面部
１２２３  左側面部
１２２ａ  鈎部
１２２ｂ  ねじ孔
１２２ｃ  ねじ孔
２        スピーカ
３        表示装置
【図１】
0006548512.tif 000002
【図２】
0006548512.tif 000003
【図３】
0006548512.tif 000004
【図４】
0006548512.tif 000005
【図５】
0006548512.tif 000006
【図６】
0006548512.tif 000007
【図７】
0006548512.tif 000008
【図８】
0006548512.tif 000009
【図９】
0006548512.tif 000010
【図１０】
0006548512.tif 000011
【図１１】
0006548512.tif 000012
【図１２】
0006548512.tif 000013
【図１３】
0006548512.tif 000014